(57)【要約】      （修正有）【課題】輪状に束ねたロープが絡まることなくスムーズに引き出せることを目的とした作業用ローププロテクターを提供する。【解決手段】左右の基盤部４、４’と該基盤部のいずれか一方の中央部から突出した着脱自在な芯材とからなるロープ支持部及び該ロープ支持部を囲むロープ囲繞体３とからなり、上記いずれか一方の基盤部の中心部にはロープ引き出し孔９を設けたことを特徴とする作業用ローププロテクター１。【選択図】図２
0003136367.tif 000002
【実用新案登録請求の範囲】
【請求項１】
左右の基盤部と該基盤部のいずれか一方の中央部から突出した着脱自在な芯材とからなるロープ支持部及び該ロープ支持部を囲むロープ囲繞体とからなり、上記いずれか一方の基盤部の中心部にはロープ引き出し孔を設けたことを特徴とする作業用ローププロテクター。
【請求項２】
ロープ支持体を長尺な板状体とし、その一端部は一方の基盤部に着脱自在に嵌合し、他端部は他方の基盤部に形成した貫通孔より外方へ突出し抜き取り自在としてなることを特徴とする請求項１記載の作業用ローププロテクター。
【請求項３】
ロープ支持部の基盤部に開口部を設けたことを特徴とする請求項１又は２記載の作業用ローププロテクター。
【請求項４】
ロープ囲繞体を筒状体とし、左右の基盤部に跨るようにしてロープ支持部を被覆してなることを特徴とする請求項１乃至３のいずれか記載の作業用ローププロテクター。
【請求項５】
ロープ囲繞体を半割乃至１／４割となる筒状体としたことを特徴とする請求項４記載の作業用ローププロテクター。
【請求項６】
ロープ囲繞体の両側端に開口部を形成し、該開口部の周縁部にロープ支持部の基盤部との係合手段を設けたことを特徴とする請求項１乃至３のいずれか記載の作業用ローププロテクター。
【考案の詳細な説明】
【技術分野】
【０００１】
本考案は、建築資材等を結束する手段や工事現場等での仕切りや区画等々に使用する長尺の作業用ロープのプロテクターに関する。
【背景技術】
【０００２】
従来より、作業用ロープとして黄と黒の縞模様を有する合成樹脂製の材料を紐状にした長尺ものが束ねた状態で販売され、使用者はそれをそのまま使用し、また、使用後には多くの輪を作るようにして巻き取り、再度束ねた状態で保管している。上記束ねたロープを使用する場合、そのロープの一端部から該ロープを引き出すことになるが、長尺なためロープが絡まることが多く、その都度ほぐす作業をしていた。
【０００３】
また、実開平５−３４１３８号公報のように束ねられた紐状のものを使用する場合、それらの紐状のものが絡まることを防止するための収納手段があるが、それらのものは反覆使用を対象としているものではなかった。
【特許文献１】実開平５−３４１３８号公報
【考案の開示】
【考案が解決しようとする課題】
【０００４】
本考案は上記欠点を解決したもので、プロテクターの芯を利用してロープを束ね、束ねたロープをプロテクターに収納し、その束ねたロープの内側となる一端側を該プロテクターから突出させ、該ロープの束の外側を囲むようにして外囲体により囲繞し、更に、上記束ねるのに利用した芯材をプロテクターより抜き取り、該プロテクターより突出させたロープを引き出すことにより束ねたロープが絡まることなくスムーズに引き出せることを可能としたものである。また、上記ロープを束ねて保管する側とそれを取り囲む側とを着脱自在に形成することにより束ねたロープを収納することができ、且つ反覆使用を可能としたものである。
【課題を解決するための手段】
【０００５】
本考案は、左右の基盤部と該基盤部のいずれか一方の中央部から突出した着脱自在な芯材とからなるロープ支持部及び該ロープ支持部を囲むロープ囲繞体とからなり、上記いずれか一方の基盤部の中心部にはロープ引き出し孔を設けた作業用ローププロテクターを特徴とする。
【０００６】
また、ロープ支持体を長尺な板状体とし、その一端部は一方の基盤部に着脱自在に嵌合し、他端部は他方の基盤部に形成した貫通孔より外方へ突出し抜き取り自在としてなる作業用ローププロテクターを特徴とする。
【０００７】
更に、ロープ支持部の基盤部に開口部を設けた作業用ローププロテクターを特徴とする。
【０００８】
また、ロープ囲繞体を筒状体とし、左右の基盤部に跨るようにしてロープ支持部を被覆してなる作業用ローププロテクターを特徴とする。
【０００９】
更に、ロープ囲繞体を半割乃至１／４割となる筒状体とした作業用ローププロテクターを特徴とする。
【００１０】
また、ロープ囲繞体の両側端に開口部を形成し、該開口部の周縁部にロープ支持部の基盤部との係合手段を設けた作業用ローププロテクターを特徴とする。
【考案の効果】
【００１１】
本考案の作業用ローププロテクターは、長尺のロープを芯材を利用して効率良く輪状に束ねることができ、使用時には該束ねたロープが直線状に戻る膨出力が作用することを利用して絡まることなく該作業用ローププロテクターより引き出せることを可能とした。
【００１２】
また、作業用ローププロテクターを束ねる側とそれを取り囲む側とを着脱自在とすることによりロープの巻き取りを容易とし、且つ、巻き取り後には該ロープの外周側を取り囲むことができ、きれいな状態で保管することを可能とした。
【００１３】
更に、作業用ローププロテクターのロープ引き出し口を狭く形成することにより内側のロープが絡まりながら引き出されることがなく、且つ以前の使用時に付着した泥や異物をロープの周囲から除去することも可能となった。
【考案を実施するための最良の形態】
【００１４】
以下、本考案の実施の形態を図面に基づいて説明する。
【実施例１】
【００１５】
図１は、本考案の作業用ローププロテクターの概略を示した断面図、図２は同斜視図を示している。
【００１６】
作業用ローププロテクター１は、ロープ支持部２及びロープ囲繞体３とより構成され、両者は着脱自在に形成されている。
【００１７】
ロープ支持部２は、円盤状の左右の基盤部４、４´と該基盤部４、４´の一方の中心部から着脱自在に突出形成したロープ支持体５とより形成している。該ロープ支持体５は、一方の基盤部４に設けた溝や孔等の係止部６に着脱自在に嵌入等により係止されるように形成している。
【００１８】
該ロープ支持体５は、長尺の板状部材の適数個より構成され、一端部は上記したように係止部６に係止され、他端側の先端部７は基盤部４´に設けた貫通孔８より突出するように形成している。上記構成により、ロープ支持体５は、該突出部を把持等して基盤部４´より引き抜くことができる。上記ロープ支持体５の板状部材の数は、３個から６、７個まで適宜数が選定できる。
【００１９】
他端側の基盤部４´の中心部にはロープＡを外方へ引き出すためのロープ引き出し孔９が形成され、作業用ローププロテクター１に収納された巻き取られているロープＡを内側より引き出すことができる。該ロープ引き出し孔９は、他方の基盤部４側でも良い。
【００２０】
上記基盤部４、４´の両方或いは一方に、図２ａに示すように適宜開口部１０を形成しておくことにより、後述するロープ囲繞体３を嵌合した後の作業用ローププロテクター１内のロープＡの状態を目視することができるし、全体を軽量化することができる。
【００２１】
本実施例の基盤部４´は、中心部より十字状に４辺が突出した盤状の形状としているが、５辺或いは６辺等に突出したものでもよく、適宜なものが選ばれるが、いずれにしてもその中心部にはロープ引き出し孔９を形成する。
【００２２】
他方、上記ロープ囲繞体３は、図２ｂに示すように円筒状とし、その両側端は開放した開口部１１、１１´とし、一端側はその内側側端部に嵌合小突起１２を設けることにより該基盤部４と係合するように形成し、他端側は鍔部１３を形成することにより基盤部４´の表面側周縁部に係止するようにする。
【００２３】
上記構成により、まず、購入時のように予め束ねられたロープＡの場合は、図２（ａ）の実線で示すロープ支持部２の基盤部４´を外し、ロープ支持体５に束ねられたロープＡの中心部を挿入し、その後、基盤部４´を取り付けることによりロープ支持部２にロープＡを収納することができる。また、ロープＡを使用後に束ねる場合は、図２（ａ）の実線で示す状態のロープ支持体５にロープＡを巻き付けて収納することになる。
【００２４】
上記ロープ支持体５にロープＡを収納した状態で、ロープＡの内側に位置する一端部を該ロープ引き出し孔９へ挿入貫通させ、外方へ引き出しておく。その後、側方側より図２に示す円筒状のロープ囲繞体３を挿入する。該ロープ囲繞体３の一端側の開口部１１内側に形成した嵌合小突起１２と基盤部４との係合及び他端側の開口部１１´の鍔部１３が基盤部４´の表面側周縁部と当接することにより該ロープ囲繞体３をロープ支持部２と一体化させることができる。
【００２５】
上記嵌合手段としては、図３に示すように、該開口部１１の内壁側に中心側に向かっていくつかの嵌合小突起１２´を突出させ、該嵌合小突起１２´を上記基盤部４の周縁部に設けた該嵌合小突起１２´に対応する切り欠き部１３に嵌入し、該基盤部４の周方向に沿ってロープ囲繞体３を一定角度回動させ、該基盤部４の外側面に設けた係止突起１４を通過させて他の係止突起との間に位置させたり、別途係止手段を設けること等により上記ロープ支持部２とロープ囲繞体３とを外れることなく係止させることが可能となる。この場合、該ロープ囲繞体３の上記嵌合小突起１２´が基盤部４´を通過できるように該基盤部４´の周縁部にそれに対応する切欠部を形成しておくことになる。
【００２６】
上記ロープＡを収納し、ロープ囲繞体３でロープ支持部２を取り囲んだ状態の作業用ローププロテクター１の基盤部４´に形成した貫通孔８から先端部７が突出しているロープ支持体５を、該先端部７を把持して外方へ引き抜く。該ロープ支持体５は、長尺の板状体なのでロープＡとの摩擦力は小さく、容易に引き抜くことができる。また、中心部が引き抜かれても合成樹脂製の作業用ロープのため硬さを有し、巻かれた状態のロープＡは常に直線状に戻ろうとする復元作用が働き、ロープＡは外方へ膨出しようとするのでその状態が崩れることはない。
【００２７】
上記ロープ支持体５が引き抜かれ、その状態で内側に位置しているロープＡは、その巻かれた状態の内側一端がロープ引き出し孔９より外方へ引き出されているので、それを引くことにより使用することができる。巻かれているロープＡは、上記したように常に外方、すなわちロープ囲繞体３の内壁側へ押し付けられるように作用しているため、束ねられているロープＡを内側より引き出していっても、絡まることなく引き出すことが可能となる。
【実施例２】
【００２８】
図４は、ロープ囲繞体３の他の実施例で、筒体の側壁面に開口部１５を設けている。内側のロープＡの状態の可視を可能とし、且つ全体を軽量化するのに効果的である。
【実施例３】
【００２９】
図５は、ロープ囲繞体３を半割体１６、１６´としたものである。該半割体１６、１６´をロープ支持部２の側面側となる図の矢印方向から鍔部１３や嵌合突起等を利用して着脱自在に嵌合することを可能としたものである。上記では半割体１６、１６´としたが、１／３割或いは１／４割程度のものでも良い。また、上記実施例２と同様に、側壁面に開口部を設けることにより内側の可視及び軽量化を達成することができる。
【図面の簡単な説明】
【００３０】
【図１】本考案の作業用ローププロテクターの断面図。
【図２】（ａ）本考案の作業用ローププロテクターの分解斜視図、（ｂ）ロープ囲繞体の斜視図。
【図３】基盤部とロープ囲繞体との嵌合を示す一実施例の側断面図。
【図４】ロープ囲繞体の他の実施例の斜視図。
【図５】ロープ囲繞体の他の実施例の斜視図。
【符号の説明】
【００３１】
１          作業用ローププロテクター
２          ロープ支持部
３          ロープ囲繞体
４、４´    基盤部
５          ロープ支持体
６          係止部
７          先端部
８          貫通孔
９          ロープ引き出し孔
１０          開口部
１１、１１´  開口部
１２、１２´  嵌合小突起
１３          切り欠き部
１４          係止突起
１５          開口部
１６、１６´  半割体
【図１】
0003136367.tif 000003
【図２】
0003136367.tif 000004
【図３】
0003136367.tif 000005
【図４】
0003136367.tif 000006
【図５】
0003136367.tif 000007